(57)【特許請求の範囲】
【請求項１】
携帯電話であって、
送信文字メッセージを入力するための入力部と、
受信文字メッセージを受信し、作成済みの送信文字メッセージを送信する無線送受信部と、
前記送信文字メッセージ及び前記受信文字メッセージを貯蔵するデータ貯蔵部と、
前記データ貯蔵部のデータを表示する表示窓付き表示部と、
前記送信文字メッセージを作成する最中に前記無線送受信部を介して受信文字メッセージが到着した場合、前記表示窓に受信文字メッセージの到着の旨を表示し、ユーザの受信文字メッセージの選択を判断して受信文字メッセージの選択である場合、前記表示窓を第１及び第２の表示窓に分割し、前記第１の表示窓に前記送信文字メッセージを表示し、前記第２の表示窓には前記受信文字メッセージを表示する制御部とを備えることを特徴とする携帯電話。
【請求項２】
携帯電話であって、
送信文字メッセージを入力するための入力部と、
呼び設定の要求を受信する無線送受信部と、
前記送信文字メッセージ及び呼び設定要求の電話番号を貯蔵するデータ貯蔵部と、
前記データ貯蔵部のデータを表示する表示窓付き表示部と、
前記送信文字メッセージを作成する最中に前記無線送受信部を介して呼び設定の要求が到着した場合、前記表示窓を第１及び第２の表示窓に分割し、前記第１の表示窓に前記送信文字メッセージを表示し、前記第２の表示窓には前記呼び設定要求の電話番号を表示する制御部とを備えることを特徴とする携帯電話。
【請求項３】
前記制御部は、呼び設定要求の応答であるか否かを判断し、呼び設定要求の応答である場合、前記送信文字メッセージを貯蔵して通話機能の処理をすることを特徴とする請求項２に記載の携帯電話。
【請求項４】
前記制御部は、前記通話機能の処理が完了したか否かを判断し、前記通話機能の処理が完了した場合に前記第２の表示窓を閉じ、貯蔵された前記送信文字メッセージを一つの表示窓に表示することを特徴とする請求項３に記載の携帯電話。
【請求項５】
携帯電話のデータの表示方法であって、
一つの表示窓に作成される送信文字メッセージを表示する段階と、
前記表示窓を分割するための窓分割機能の選択の入力があるか否かを判断し、前記窓分割機能の選択の入力がある場合、選択入力の種類を判別する段階と、
前記選択入力の種類が外部の無線通信網からの受信文字メッセージまたは呼び設定の要求の到着である場合には、前記表示窓を第１及び第２の表示窓に分割し、前記第１の表示窓に前記送信文字メッセージを表示し、前記第２の表示窓には前記選択入力の種類によるデータを表示する段階とを含むことを特徴とするデータの表示方法。
【発明の詳細な説明】
【０００１】
【発明の属する技術分野】
本発明は携帯電話に係り、特に、携帯電話を用いて送信文字メッセージを作成する場合、窓分割の機能を有する携帯電話及びそのデータの表示方法に関する。
【０００２】
【従来の技術】
一般的に、携帯電話は、一般の無線通信網を用いて他の加入者との両方向通信を提供する装置であって、そのユーザ層が広くなりつつある。特に、文字メッセージの送受信及びこれを用いた文字通話も一層増えている一方である。
図９は、従来の技術による携帯電話のデータの表示方法により携帯電話表示部に表示される状態を示す表示画面図である。
【０００３】
図９の（ａ）ないし（ｆ）は、携帯電話を用いて相手と文字メッセージをやりとりする文字通話をする場合、従来の技術により表示される表示画面を時系列的に示している。ユーザが図９の（ａ）のように一つの表示窓において送信しようとする送信文字メッセージを作成している場合、相手は、図９の（ｂ）に示されたような内容の文字メッセージを作成して送信する。これにより、ユーザの携帯電話の表示窓には、図９の（ｃ）のように、相手から受信文字メッセージが受信された旨が表示される。ユーザが送信文字メッセージの作成を完了する前に受信文字メッセージを先に確認しようとする場合、作成していた送信文字メッセージを無くしてしまう。そうでない場合、ユーザは、作成中である送信文字メッセージを図９の（ｄ）のように完了して送ってから始めて図９の（ｅ）に示されたような内容の受信文字メッセージが確かめられる。この場合、相手は、ユーザが自分の送信文字メッセージを受けていないと判断し、図９の（ｆ）のように、他の文字メッセージを作成してユーザに送る。従って、文字メッセージを用いた対話が円滑になされず、誤った文字メッセージや不要な文字メッセージが送られてしまう結果となる。
【０００４】
図９の（ｇ）は、ユーザが送信文字メッセージを作成する最中に外部から呼び設定の要求がある場合の表示画面を示している。呼び設定の要求がある場合、図９の（ｇ）のように、呼び設定の要求の文句及び呼び設定要求の電話番号が画面に表示される。ユーザが呼び設定の要求に応答する場合、作成していた送信文字メッセージは無くなる。従って、ユーザは、通話が終わってから新しく送信文字メッセージを作成しなければならないという不具合がある。
【０００５】
図９の（ｈ）は、ユーザが送信文字メッセージを作成する最中に電話番号の検索のように他の機能を行わなければならない場合の表示画面を示している。送信文字メッセージの作成中に電話番号検索の機能を選択すれば、図９の（ｈ）のように検索画面が表示され、完成できなかった送信文字メッセージは無くなる。このため、検索が完了してから送信文字メッセージを再び作成しなければならないという不具合がある。
【０００６】
前記従来の技術による携帯電話のデータの表示方法を要すれば、下記の通りである。
図１０は、従来の技術による携帯電話のデータの表示方法を制御するためのフローチャートである。図１０を参照すれば、従来の技術による携帯電話のデータの表示方法は、一つの表示窓に作成される送信文字メッセージを表示する段階（第２１０段階）、機能選択の入力であるか否かを判断する段階（第２２０段階）、判断の結果、機能選択の入力ではない場合、作成される送信文字メッセージを表示して作成済みの送信文字メッセージを送信する段階（第２３０段階）及び機能選択の入力である場合、機能選択の入力の種類をチェックし（第２４０段階）、それに該当する機能を行う段階（第２５０段階）を含む。
【０００７】
このように、従来のデータの表示方法によれば、文字メッセージを用いた文字通話を行うとき、対話が円滑になされず、しかも、送信文字メッセージを作成する最中に呼び設定の要求に対する応答をする場合及び他の機能を用いる場合、作成していたデータが無くなるといった問題点があった。
【０００８】
【発明が解決しようとする課題】
そこで、本発明が解決しようとする技術的な課題は、携帯電話を用いて送信文字メッセージを作成するとき、効率良いデータの表示方法を有する携帯電話及びそのデータの表示方法を提供するところにある。
また、本発明が解決しようとする技術的な課題は、相手と文字メッセージを用いて文字通話を行う場合、相手が受け取った文字メッセージをリアルタイムにて確認できずに生じる問題点を解決し得る携帯電話及びそのデータの表示方法を提供するところにある。
【０００９】
さらに、本発明が解決しようとする他の技術的な課題は、送信文字メッセージを作成する最中に呼び設定の要求がある場合、作成していた送信文字メッセージを保存しつつもこれに応答し得る携帯電話及びそのデータの表示方法を提供するところにある。
なおかつ、本発明が解決しようとするさらに他の技術的な課題は、送信文字メッセージを作成する最中に作成していた送信文字メッセージを保存しつつも電話番号の検索のような他の機能を行い得る携帯電話及びそのデータの表示方法を提供するところにある。
【００１０】
【課題を解決するための手段】
前記技術的な課題を解決するために、本発明の一実施の形態による携帯電話は、送信文字メッセージを入力するための入力部と、受信文字メッセージを受信し、作成済みの送信文字メッセージを送信する無線送受信部と、前記送信文字メッセージ及び前記受信文字メッセージを貯蔵するデータ貯蔵部と、前記データ貯蔵部のデータを表示する表示窓付き表示部と、前記送信文字メッセージを作成する最中に前記無線送受信部を介して受信文字メッセージが入力される場合、前記表示窓に受信文字メッセージの到着の旨を表示し、ユーザの受信文字メッセージの選択を判断して受信文字メッセージの選択である場合、前記表示窓を第１及び第２の表示窓に分割し、前記第１の表示窓に前記送信文字メッセージを表示し、前記第２の表示窓には前記受信文字メッセージを表示する制御部とを備えることを特徴とする。
【００１１】
前記技術的な課題を解決するために、本発明の他の実施の形態による携帯電話は、送信文字メッセージを入力するための入力部と、呼び設定の要求を受信する無線送受信部と、前記送信文字メッセージ及び呼び設定要求の電話番号を貯蔵するデータ貯蔵部と、前記データ貯蔵部のデータを表示する表示窓付き表示部と、前記送信文字メッセージを作成する最中に前記無線送受信部を介して呼び設定の要求がある場合、前記表示窓を第１及び第２の表示窓に分割し、前記第１の表示窓に前記送信文字メッセージを表示し、前記第２の表示窓には前記呼び設定要求の電話番号を表示する制御部とを備えることを特徴とする。
【００１２】
前記技術的な課題を解決するために、本発明のさらに他の実施の形態による携帯電話は、送信文字メッセージ及び分割モード選択を入力するための入力部と、前記送信文字メッセージの作成が完了した場合、前記送信文字メッセージを送信する無線送受信部と、前記送信文字メッセージを貯蔵するデータ貯蔵部と、前記送信文字メッセージを表示する表示窓付き表示部と、前記送信文字メッセージを作成する最中に前記入力部を介して前記分割モード選択の入力がある場合、前記表示窓を第１及び第２の表示窓に分割し、前記第１の表示窓に前記送信文字メッセージを表示し、前記第２の表示窓には検索種類の選択画面を表示する制御部とを備えることを特徴とする。
【００１３】
一方、本発明の他の分野によれば、前記技術的な課題を解決するための携帯電話のデータの表示方法は、一つの表示窓に作成される送信文字メッセージを表示する段階と、前記表示窓を分割するための窓分割機能の選択の入力があるか否かを判断し、前記窓分割機能の選択の入力がある場合、選択入力の種類を判別する段階と、前記表示窓を第１及び第２の表示窓に分割し、前記第１の表示窓に前記送信文字メッセージを表示し、前記第２の表示窓には前記選択入力の種類によるデータを表示する段階とを含むことを特徴とする。
【００１４】
【発明の実施の形態】
以下、添付した図面に基づき、本発明の望ましい実施の形態について詳細に説明する。
図１は、本発明による携帯電話のブロック構成図である。図１を参照すれば、携帯電話は、入力部１００、無線送受信部１１０、データ貯蔵部１２０、表示部１３０、音声処理部１４０、スピーカーホン部１５０及び制御部１６０を備える。
【００１５】
本発明の一実施の形態による携帯電話の入力部１００は、相手に送る送信文字メッセージの入力のために用いられ、無線送受信部１１０は、文字メッセージをアンテナＡＮＴを介して送受信する。データ貯蔵部１２０は、送信文字メッセージ及び受信文字メッセージを貯蔵し、表示部１３０は、送信文字メッセージ及び受信文字メッセージを表示する。音声処理部１４０は、無線送受信部１１０を介して受信された音声データを処理した後、スピーカーホン部１５０を介してスピーカーＳＰＫに出力し、マイクＭＩＣからの音声データをスピーカーホン部１５０を介して入力されて処理した後、無線送受信部１１０に送る。制御部１６０は、入力部１００を介してユーザから入力されたデータに基づき送信文字メッセージを作成し、送信文字メッセージを作成する最中に受信文字メッセージが到着した場合、受信文字メッセージの到着の旨を表示部１３０に表示し、ユーザから受信文字メッセージの確認が要請されれば、表示部１３０の表示窓を２つの画面に分割し、分割された表示窓のうちどちらか一方には作成していた送信文字メッセージを表示し、他方には受信文字メッセージを表示する。
【００１６】
本発明の他の実施の形態による携帯電話の入力部１００は、相手に送る送信文字メッセージの入力のために用いられ、無線送受信部１１０は、呼び設定の要求をアンテナＡＮＴを介して受信する。データ貯蔵部１２０は、送信文字メッセージ及び受信された呼び設定要求の電話番号を貯蔵し、表示部１３０は、送信文字メッセージ、呼び設定要求の電話番号及び呼び設定要求の案内文句を表示する。音声処理部１４０は、無線送受信部１１０を介して受信された音声データを処理した後、スピーカーホン部１５０を介してスピーカーＳＰＫに出力し、マイクＭＩＣからの音声データをスピーカーホン部１５０を介して入力されて処理した後、無線送受信部１１０に送る。制御部１６０は、入力部１００に入力されるデータを受信して送信文字メッセージを作成し、送信文字メッセージを作成する最中に呼び設定の要求がある場合、表示部１３０の表示窓を２分割し、分割された表示窓のうちどちらか一方には作成していた送信文字メッセージを表示し、他方には呼び設定要求の電話番号を表示する。
【００１７】
本発明のさらに他の実施の形態による携帯電話の入力部１００は、相手に送る送信文字メッセージの入力及び分割モード選択の入力のために用いられ、無線送受信部１１０は、作成済みの送信文字メッセージをアンテナＡＮＴを介して送信する。データ貯蔵部１２０は送信文字メッセージを貯蔵し、表示部１３０は送信文字メッセージを表示する。音声処理部１４０は、無線送受信部１１０を介して受信された音声データを処理した後にこれをスピーカーホン部１５０を介してスピーカーＳＰＫに出力し、マイクＭＩＣからの音声データをスピーカーホン部１５０を介して入力されて処理した後にこれを無線送受信部１１０に送る。制御部１６０は、入力部１００に入力されるデータを受信して送信文字メッセージを作成し、送信文字メッセージを作成する最中に入力部１００を介して分割モード選択の入力がある場合、表示部１３０の表示窓を２分割し、分割された表示窓のうちどちらか一方には作成していた送信文字メッセージを表示し、他方には検索種類の選択画面を表示する。
【００１８】
図２の（ａ）ないし（ｈ）は、本発明の各実施の形態による携帯電話の表示部１３０に表示される表示画面の状態を時系列的に示す表示画面図である。これを参照すれば、ユーザが図２の（ａ）のように一つの表示窓において送信文字メッセージを作成している場合、相手は、図２の（ｂ）のような内容の文字メッセージを作成して送信する。これにより、ユーザの携帯電話の表示窓には、図２の（ｃ）のように、受信文字メッセージの到着の旨が表示される。ユーザが受信文字メッセージを選択すれば、図２の（ｄ）のように表示部１３の表示窓が２分割され、そのうち一方には作成していた送信文字メッセージが表示され、他方には相手が送信した受信文字メッセージが表示される。従って、ユーザは、受信文字メッセージを確かめた後、これに対する適当な返事になるように送信文字メッセージを修正して送信可能になる。
【００１９】
図２の（ｅ）は、本発明の他の実施の形態による携帯電話の表示画面を示している。送信文字メッセージを作成する最中に外部より呼び設定の要求がある場合、図２の（ｅ）のように表示窓が分割され、分割された一方の表示窓には作成していた送信文字メッセージが表示され、他方の分割表示窓には呼び設定要求の電話番号及び案内文句が表示される。このとき、ユーザが呼び設定要求の応答を選択すれば、作成していた送信文字メッセージは貯蔵され、通話が終わった後、図２の（ｆ）のように一つにまとめられた表示窓に貯蔵されていた送信文字メッセージが再び表示されて送信文字メッセージの作成が続けられる。これにより、ユーザは、作成していた送信文字メッセージを失わなくなる。
【００２０】
図２の（ｇ）ないし（ｈ）は、本発明のさらに他の実施の形態による携帯電話に表示される表示画面の一例を時系列的に示している。送信文字メッセージの作成の最中にユーザが検索機能の行うために分割モードの入力を選択する場合には、図２の（ｇ）のように表示窓が分割され、分割された一方の表示窓には作成していた送信文字メッセージが表示され、他方の分割表示窓には検索種類のメニュー画面が表示される。一例として、ユーザが電話番号の検索を選択すれば、図２の（ｈ）に示されたように、検索種類のメニュー画面が表示されていた表示窓に電話番号の検索画面が表示される。ユーザは、電話番号の検索画面において電話番号の検索を行うことができ、検索が終われば、図２の（ｆ）に戻って、一つの表示窓において作成していた送信文字メッセージを完成できる。
【００２１】
図３は、本発明の好ましい実施の形態による携帯電話のデータの表示方法の制御を簡略的に示すフローチャートである。図３を参照すれば、ユーザが文字メッセージを送信するために文字メッセージ機能を選択すれば、制御部１６０は、一つの入力表示窓にユーザにより作成される送信文字メッセージを表示する（第３１０段階）。一方、制御部１６０は、外部の無線通信網より受信文字メッセージ及び呼び設定要求の受信、またはユーザの分割選択の入力による窓分割機能の選択の入力があるか否かを判断し、窓分割機能の選択の入力がある場合、選択入力の種類を判別する（第３２０段階）。次に、表示窓を２分割し、分割された表示窓のうちどちらか一方に作成していた送信文字メッセージを表示し、他方には選択入力の種類に対応するデータを表示する（第３３０段階）。
【００２２】
図４ないし図８は、本発明の各実施の形態による携帯電話のデータの表示方法の詳細なフローチャートである。
図４を参照すれば、まず、ユーザが携帯電話を用いて文字メッセージを作成しようとする場合、入力部１００を用いて文字メッセージ機能を選択する。制御部１６０は、文字メッセージ機能を認識し、表示部１３０に一つの表示窓を表示する（第３１１段階）。ユーザは、入力部１００を用いて送信文字メッセージを作成し、制御部１６０は、図２の（ａ）のように、送信文字メッセージを表示部１３０の表示窓に表示する（第３１２段階）。制御部１６０は、表示部１３０の表示窓の分割のための窓分割機能の選択の入力があるか否かを判断し（第３２１段階）、窓分割機能の選択の入力がある場合には、該入力が外部の無線通信網からの入力であるか否かを判別する（第３２２段階）。制御部１６０は、窓分割機能の選択の入力が外部の無線通信網からの入力ではない場合、ユーザによる分割モードの選択であると判断して図７の処理を行い、外部の無線通信網からの入力である場合、外部の無線通信網からの入力が受信文字メッセージであるか否かを判断する（第３２３段階）。制御部１６０は、外部の無線通信網からの入力が受信文字メッセージではない場合、呼び設定の要求処理である図６の処理を行い、受信文字メッセージである場合、図５の処理を行う。
【００２３】
図５は、本発明の一実施の形態による携帯電話のデータの表示方法の制御を示すフローチャートである。図５を参照すれば、制御部１６０は、選択入力の種類が受信文字メッセージである場合（第３３１段階）、表示部１３０は、図２の（ｃ）に示されたように、表示窓の一部に受信文字メッセージの受信状態を表示してユーザに受信文字メッセージの到着の旨を知らせる（第３３２段階）。ユーザは、受信文字メッセージを読もうとする場合には受信文字メッセージを選択し、そうでない場合には送信文字メッセージの作成を続ける。制御部１６０は、ユーザが受信文字メッセージを選択したか否かを判断し（第３３３段階）、受信文字メッセージを選択しなかった場合、作成していた送信文字メッセージを表示し、図８の送信文字メッセージの作成処理を行う。ユーザが受信文字メッセージを選択した場合、図２の（ｄ）に示されたように、表示部１３０の表示窓を２分割する（第３３４段階）。次に、分割された表示窓のうちどちらか一方には作成していた前記送信文字メッセージを表示し（第３３５段階）、他方には受信文字メッセージを表示する（第３３６段階）。これにより、ユーザは、分割された表示窓のうち他方に表示される受信文字メッセージを見て送信文字メッセージの作成を続けるか、修正するか、それとも止めるかが判断可能になるので、図９の（ａ）ないし（ｆ）に示されたように、適切ではない送信文字メッセージの送信による円滑ではない文字通話を行わなくなる。
【００２４】
図６は、本発明の他の実施の形態による携帯電話のデータの表示方法の制御を示すフローチャートである。図６を参照すれば、制御部１６０は、選択入力の種類が呼び設定の要求であれば（第３４１段階）、図２の（ｅ）のように、まず表示部１３０の表示窓を２分割し（第３４２段階）、分割された表示窓のうちどちらか一方には作成していた前記送信文字メッセージを表示し（第３４３段階）、他方には呼び設定の要求の旨を知らせる案内文句及び呼び設定要求の電話番号を表示する（第３４４段階）。次に、制御部１６０は、ユーザの選択が呼び設定要求の応答であるか否かを判断し（第３４５段階）、呼び設定要求の応答ではない場合、第Ｄ段階にスキップして作成していた送信文字メッセージを表示し続ける。制御部１６０は、ユーザの選択が呼び設定要求の応答である場合には、作成していた送信文字メッセージをデータ貯蔵部１２０の所定領域に貯蔵し（第３４６段階）、ユーザが呼び設定の要求に応答可能に無線送受信部１１０、音声処理部１４０及びスピーカーホン部１５０を制御して通話機能の処理を行う（第３４７段階）。制御部１６０は、通話が終わったか否かを判断し（第３４８段階）、通話が終わっていない場合には通話のための制御処理を行い、通話が終わった場合には分割された表示窓のうち他方を閉じて表示窓を一つにした後、データ貯蔵部１２０に貯蔵された作成していた送信文字メッセージを表示窓に表示する（第３４９段階）。
【００２５】
図７は、本発明のさらに他の実施の形態による携帯電話のデータの表示方法の制御を示すフローチャートである。図７を参照すれば、ユーザが送信文字メッセージを作成していて電話番号の検索のような他の機能を用いたいと思って分割モードを選択した場合の処理過程である。制御部１６０は、窓分割機能の選択の入力がユーザによる分割モード選択である場合（第３５１段階）、図２の（ｇ）のように表示部１３０の表示窓を２分割する（第３５２段階）。次に、分割された表示窓のうち一方には作成していた送信文字メッセージを表示し（第３５３段階）、他方には検索種類のメニュー画面を表示する（第３５４段階）。次に、制御部１６０は、ユーザの選択がいかなる検索種類の選択であるかを判断し（第３５５段階）、他方の分割表示窓にそれに対応する検索画面を表示する（第３５６段階）。携帯電話に設定されている検索機能の種類が一つである場合、第３５４段階及び第３５５段階は省かれて直ちに一つの検索画面を表示しても良い。制御部１６０は、該当データを他方の分割表示窓に表示し、ユーザにより要請された検索機能を行う（第３５７段階）。制御部１６０は、検索が終わったか否かを判断し（第３５８段階）、検索が終わっていない場合には検索機能を行い続ける一方、検索が終わった場合には他方の分割表示窓を閉じ（第３５７段階）、送信文字メッセージの作成のために第３６１段階へ進む。
【００２６】
図８は、送信文字メッセージの作成完了のためのデータ表示方法の制御を示すフローチャートである。本発明の各実施の形態による携帯電話は、図６ないし図７のようなデータの表示方法を行い、図８のような送信文字メッセージの作成完了のためのデータの表示方法を行う。図８を参照すれば、まず、制御部１６０は、送信文字メッセージの作成中断であるか否かを判断し（第３６１段階）、送信文字メッセージの作成中断ではない場合、作成中の送信文字メッセージを表示する（第３６２段階）。次に、制御部１６０は、送信文字メッセージの作成が終わったか否かを判断し（第３６３段階）、送信文字メッセージが終わっていない場合には第３６１段階ないし第３６３段階を繰り返し行い、送信文字メッセージの作成が終わった場合には、作成された送信文字メッセージの送信であるか否かを判断する（第３６４段階）。次に、制御部１６０は、送信文字メッセージの送信である場合、作成済みの送信文字メッセージを送信し（第３６５段階）、送信文字メッセージの送信ではない場合には待つ。第３６１段階において、送信文字メッセージの作成中断である場合、制御部１６０は、送信文字メッセージの作成を止め（第３６６段階）てから待つ。
【００２７】
本発明は上述した実施の形態に限定されることなく、本発明の思想内であれば、当業者による変形が可能であるということは言うまでもない。よって、本発明における権利請求の範囲は詳細な説明の範囲内に定められるのではなく、請求範囲の範囲内に限定されるであろう。
【００２８】
【発明の効果】
上述したように、本発明によれば、携帯電話を用いて送信文字メッセージを作成する最中に窓分割機能の選択の入力がある場合、表示窓を分割し、分割された表示窓に選択入力の種類に各々対応するデータを表示することにより、下記のような効果を有する。
第一に、文字メッセージを用いて一般の無線網につながった相手と通信をする場合、送信文字メッセージを作成する最中に受信される相手の受信文字メッセージをリアルタイムにて確かめて作業することにより、不要な文書の作成を防いで効率良い通信が行える。
【００２９】
第二に、作成していた送信文字メッセージの内容を保存しつつも他の機能が行えるので、送信文字メッセージの繰り返し作成による時間が短縮できる。
第三に、送信文字メッセージを作成する最中に必要な検索機能を同時に表示して行うことにより、送信文字メッセージの作成を終えずに必要な資料を検索して送信文字メッセージの作成に活用できる。
【図面の簡単な説明】
【図１】  本発明の実施の形態による携帯電話のブロック構成図である。
【図２】  本発明の実施の形態による携帯電話において行われるデータの表示方法によって表示部に表示される状態を示す表示画面図である。
【図３】  本発明の実施の形態による携帯電話において行われるデータの表示方法の簡略なフローチャート図である。
【図４】  本発明の各実施の形態による携帯電話及びそのデータの表示方法の詳細なフローチャートである。
【図５】  本発明の各実施の形態による携帯電話及びそのデータの表示方法の詳細なフローチャートである。
【図６】  本発明の各実施の形態による携帯電話及びそのデータの表示方法の詳細なフローチャートである。
【図７】  本発明の各実施の形態による携帯電話及びそのデータの表示方法の詳細なフローチャートである。
【図８】  本発明の各実施の形態による携帯電話及びそのデータの表示方法の詳細なフローチャートである。
【図９】  従来の技術による携帯電話のデータの表示方法によって携帯電話の表示部に表示される状態を示す表示画面図である。
【図１０】  従来の技術による携帯電話のデータの表示方法を示すフローチャートである。
【符号の説明】
１００…入力部
１１０…無線送受信部
１２０…データ貯蔵部
１３０…表示部
１４０…音声処理部
１５０…スピーカーホン部
１６０…制御部
【図１】
0004180928.tif 000002
【図２】
0004180928.tif 000003
【図３】
0004180928.tif 000004
【図４】
0004180928.tif 000005
【図５】
0004180928.tif 000006
【図６】
0004180928.tif 000007
【図７】
0004180928.tif 000008
【図８】
0004180928.tif 000009
【図９】
0004180928.tif 000010
【図１０】
0004180928.tif 000011